(57)【要約】【課題】大地震により家具の完全転倒に従って、家具崩壊と人体の怪我、家具による人体の下敷き、生命の危機。  本発明は、以上の問題点を解決するためになされたものである。【解決手段】地震時に家具の完全転倒を防止し、倒れ込む場所に空隙を設け、人命を守る家具転倒途中止めであって、地震発生時に家具の前面部を覆う鎹型扉止めと地震発生時に家具の転倒時に家具の倒れ込みを支えるピストンを備え、地震時にピストンの鋸歯部にくい込むレバーがピストンの動きを固定する事を特徴とする家具転倒途中止め。【選択図】    図１
2018068389.tif 000002
【特許請求の範囲】
【請求項１】
シリンダー（2）にピストン（5）をスライド自在に設け、シリンダー（2）の下部に案内孔（3）と上部に歯車露出孔（4）を設け、ピストン（5）に停止棒（7）と鋸型の歯車（6）と球型ゴム（8）を設け、停止棒（7）を案内孔（3）に嵌め、ピストン（5）を停止し外部離脱不能にし、歯車露出孔（4）の上部に軸ボルト（15）を設け、軸ボルト（15）にレバー（10）とねじりスプリング（11）を設け、ねじりスプリング（11）の反発力によりレバー（10）を押上げて作用点側のストッパー（9）を下方向習性にして、歯車（6）をストッパー（9）により係止させ、ピストンを停止可能にし、シリンダー（2）とシリンダー（2）を一対とし、シリンダー（2）と軸ボルト（15）を家具の両サイドに対向させて設け、軸ボルト（15）に鎹型扉止め（14）と鎹型扉止め（14）を回転自在に橋設し、家具の上台（27）と下台（28）を蝶番（22）により蝶着し、上台（27）を回転自在にし、家具の転倒時の遠心力で鎹型扉止め（14）とピストン（5）を落下させ、扉を封鎖し、ピストンで家具を途中で支える事を特徴とする家具転倒途中止め。
【発明の詳細な説明】
【技術分野】
【０００１】
本発明は、大地震に従って家具の転倒時の遠心力でシリンダーからピストンを放出し、ピストンで家具を支えて途中で止める、家具に関するものである。
【背景技術】
【０００２】
従来、突っ張り棒、家具と壁をL型金具で接続、不動王L型固定式、転倒防止等が知られている。
【発明の概要】
【発明が解決しようとする課題】
【０００３】
大地震により家具の完全転倒に従って、家具崩壊と人体の怪我、家具の下敷き防止し、人命を保護する。
本発明は、以上の問題点を解決するためになされたものである。
【課題を解決するための手段】
【０００４】
シリンダー（2）にピストン（5）をスライド自在に設け、シリンダー（2）の下部に案内孔（3）と上部に歯車露出孔（4）を設け、ピストン（5）に停止棒（7）と鋸型の歯車（6）と球型ゴム（8）を設け、停止棒（7）を案内孔（3）に嵌め、ピストン（5）を停止し離脱不能にし、歯車露出孔（4）の上部に軸ボルト（15）を設け、軸ボルト（1５）にレバー（10）とねじりスプリング（11）を設け、ねじりスプリング（11）の先端をレバー（10）の孔（13）に嵌め、ねじりスプリング（11）の反発力によりレバー（10）を押上げて作用点側のストッパー（9）を下方向習性にして、歯車（6）をストッパー（9）により係止させ、ピストンを停止可能にし、シリンダー（2）とシリンダー（2）を一対とし、シリンダー（2）と軸ボルト（15）を家具の両サイドに対向させて設け、軸ボルト（15）に鎹型扉止め（14）と鎹型扉止め（14）を回転自在に橋設し、家具の上台（27）と下台（28）を蝶番（22）により蝶着し、上台（27）を回転自在にし、家具の転倒時の遠心力で鎹型扉止め（14）とピストン（5）を落下させ、扉を封鎖し、ピストンで家具を途中で支える
以上の構成よりなる家具転倒途中止め。
【発明の効果】
【０００５】
1・転倒途中止めによる家具の破損の減少。
2・特に大型の鏡の破片の散乱防止。
3・家具による下敷きを減少させて人命を保護する。
4・余震と周囲の状況に従って、家具の下に一時避難をして落下物を防ぐ。
5・家具が半転倒につき、元の位置に戻すことが簡単である。
【図面の簡単な説明】
【０００６】
【図１】本発明の上台の側面図。
【図２】本発明の箪笥の正面図。
【図３】本発明の上台が転倒した側面図。
【図４】本発明の軸ボルトの正面図。
【図５】本発明の一段式の家具が途中転倒した側面図。
【図６】本発明の基盤とシリンダーの正面図。
【図７】本発明のストッパーとシリンダーの側面図。
【発明を実施するための形態】
【０００７】
基盤（1）の中央に角型の溝を設け、溝をシリンダー（2）とし、シリンダー（2）の下部に案内孔と上部に歯車露出孔（4）を設け、シリンダー（2）と軸ボルト（15）を家具の両サイドに対向させて、軸ボルト（15）及びボルト（16）で家具（23）に固定する。
ピストン（5）は、長方形で、シリンダー（2）に挿入し、球型ゴム（8）に孔を設け、孔にピストン（5）の片側の先端を挿入させ、ピストン（5）の反対側に鋸型の歯車（6）と停止棒（7）を設け。
歯車露出孔（4）の上部に軸ボルト（15）を設け、軸ボルト（15）にスットパー（9）とねじりスプリング（11）を設け、ねじりスプリング（11）の先端をレバー（10）の孔（13）に侵入。
鎹型扉止め（14）の両端に孔をあけ、孔に軸ボルト（15）を侵入して家具（23）の上部に設ける。
本発明は以上のような構造である。
本発明を使用するときは。
大地震により家具が転倒開始すると、遠心力で鎹型扉止めが回転落下して扉に当たり扉を閉鎖する。
同時にピストンが落下し、ピストンの球型ゴムが床および畳に到達し、ねじりスプリングの反発力で、レバーを押上げストッパーと歯車が噛み合ってピストンを係止させて家具を支える。
地震時に家具の下に遭遇した場合は、暫くのあいだ避難場所として落下物から人体を護る。
地震終了後に、家具の下から脱出し、家具を元の位置に戻し、レバーを下げて歯車からストッパー外して、ピストンを奥に押し込んで元の位置に戻し、鎹型扉止めを回転させて元の位置に戻す。
【符号の説明】
【０００８】
1基盤、2シリンダー、3案内孔、4歯車露出孔、5ピストン、6歯車、7停止棒、8球型ゴム、9ストッパー、10レバー、11ねじりスプリング、12リング、 13孔、14鎹型扉止め、15軸ボルト、16ボルト、17ナット、18頭、19雄ネジ山、20ネジ山なし、21軸部、22蝶番、23家具、24洋服箪笥、25扉、26引出し、27上台、28下台、29台輪、30隙間、31把手、
【図１】
2018068389.tif 000003
【図２】
2018068389.tif 000004
【図３】
2018068389.tif 000005
【図４】
2018068389.tif 000006
【図５】
2018068389.tif 000007
【図６】
2018068389.tif 000008
【図７】
2018068389.tif 000009
【手続補正書】
【提出日】平成29年1月19日(2017.1.19)
【手続補正１】
【補正対象書類名】明細書
【補正対象項目名】全文
【補正方法】変更
【補正の内容】
【発明の詳細な説明】
【技術分野】
【０００１】
本発明は、大地震に従って家具の転倒時の遠心力でシリンダーからピストンを放出し、ピストンで家具を支えて途中で止める、家具に関するものである。
【背景技術】
【０００２】
従来、突っ張り棒、家具と壁をL型金具で接続、不動王L型固定式、転倒防止等が知られている。
【発明の概要】
【発明が解決しようとする課題】
【０００３】
大地震により家具の完全転倒に従って、家具崩壊と人体の怪我、家具の下敷き防止し、人命を保護する。
本発明は、以上の問題点を解決するためになされたものである。
【課題を解決するための手段】
【０００４】
地震時に家具の完全転倒を防止し、倒れ込む場所に空隙を設け、人命を守る家具転倒途中留め構造であって、前記地震発生時に家具の前面部を覆う扉止め部と、前記地震発生時に前記家具の転倒時に前記家具の倒れ込みを支えるピストン部材とを備え、前記地震時に前記ピストン部材に形成した鋸歯部にくい込むレバーが前記ピストン部材の動きを固定することを特徴とする家具転倒途中留め構造。
以上の構成よりなる家具転倒途中止め。
【発明の効果】
【０００５】
1・転倒途中止めによる家具の破損の減少。
2・特に大型の鏡の破片の散乱防止。
3・家具による下敷きを減少させて人命を保護する。
4・余震と周囲の状況に従って、家具の下に一時避難をして落下物を防ぐ。
5・家具が半転倒につき、元の位置に戻すことが簡単である。
【図面の簡単な説明】
【０００６】
【図１】本発明の上台の側面図。
【図２】本発明の箪笥の正面図。
【図３】本発明の上台が転倒した側面図。
【図４】本発明の軸ボルトの正面図。
【図５】本発明の一段式の家具が途中転倒した側面図。
【図６】本発明の基盤とシリンダーの正面図。
【図７】本発明のストッパーとシリンダーの側面図。
【発明を実施するための形態】
【０００７】
本発明を図１〜図７を用いて以下に説明すると、
基盤（1）の中央に角型の溝を設け、溝をシリンダー（2）とし、シリンダー（2）の下部に案内孔と上部に鋸歯部露出孔（4）を設け、シリンダー（2）と軸ボルト（15）を家具の両サイドに対向させて、軸ボルト（15）及びボルト（16）で家具（23）に固定する。
ピストン（5）は、長方形で、シリンダー（2）に挿入し、球型ゴム（8）に孔を設け、孔にピストン（5）の片側の先端を挿入させ、ピストン（5）の反対側に鋸型の鋸歯部（6）と停止棒（7）を設け。
鋸歯部露出孔（4）の上部に軸ボルト（15）を設け、軸ボルト（15）にスットパー（9）とねじりスプリング（11）を設け、ねじりスプリング（11）の先端をレバー（10）の孔（13）に侵入。鎹型扉止め（14）の両端に孔をあけ、孔に軸ボルト（15）を侵入して家具（23）の上部に設ける。
本発明は以上のような構造である。
本発明を使用するときは。
大地震により家具が転倒開始すると、遠心力で鎹型扉止めが回転落下して扉に当たり扉を閉鎖する。
同時にピストンが落下し、ピストンの球型ゴムが床および畳に到達し、ねじりスプリングの反発力で、レバーを押上げストッパーと鋸歯部が噛み合ってピストンを係止させて家具を支える。
地震時に家具の下に遭遇した場合は、暫くのあいだ避難場所として落下物から人体を護る。
地震終了後に、家具の下から脱出し、家具を元の位置に戻し、レバーを下げて鋸歯部からストッパー外して、ピストンを奥に押し込んで元の位置に戻し、鎹型扉止めを回転させて元の位置に戻す。
【符号の説明】
【０００８】
1基盤、2シリンダー、3案内孔、4鋸歯部露出孔、5ピストン、6鋸歯部、7停止棒、8球型ゴム、9ストッパー、10レバー、11ねじりスプリング、12リング、 13孔、14鎹型扉止め、15軸ボルト、16ボルト、17ナット、18頭、19雄ネジ山、20ネジ山なし、21軸部、22蝶番、23家具、24洋服箪笥、25扉、26引出し、27上台、28下台、29台輪、30隙間、31把手、
【手続補正２】
【補正対象書類名】特許請求の範囲
【補正対象項目名】全文
【補正方法】変更
【補正の内容】
【特許請求の範囲】
【請求項１】
地震時に家具の完全転倒を防止し、倒れ込む場所に空隙を設け、人命を守る家具転倒途中留め構造であって、前記地震発生時に家具の前面部を覆う扉止め部と、前記地震発生時に前記家具の転倒時に前記家具の倒れ込みを支えるピストン部材とを備え、前記地震時に前記ピストン部材に形成した鋸歯部にくい込むレバーが前記ピストン部材の動きを固定することを特徴とする家具転倒途中留め。
【手続補正書】
【提出日】平成29年4月28日(2017.4.28)
【手続補正１】
【補正対象書類名】明細書
【補正対象項目名】全文
【補正方法】変更
【補正の内容】
【発明の詳細な説明】
【技術分野】
【０００１】
本発明は、大地震に従って家具の転倒時の遠心力でシリンダーからピストンを放出し、ピストンで家具を支えて途中で止める、家具に関するものである。
【背景技術】
【０００２】
従来、突っ張り棒、家具と壁をL型金具で接続、不動王L型固定式、転倒防止等が知られている。
【発明の概要】
【発明が解決しようとする課題】
【０００３】
大地震により家具の完全転倒に従って、家具崩壊と人体の怪我、家具の下敷き防止し、人命を保護する。
本発明は、以上の問題点を解決するためになされたものである。
【課題を解決するための手段】
【０００４】
シリンダー（2）にピストン（5）をスライド自在に設け、シリンダー（2）の下部に案内孔（3）と上部に鋸歯部露出孔（4）を設け、ピストン（5）に停止棒（7）と鋸歯部（6）と球型ゴム（8）を設け、停止棒（7）を案内孔（3）に嵌め、ピストン（5）をシリンダー（2）から離脱不能にし、鋸歯部露出孔（4）の上部に、軸ボルト（15）により固定されるレバー（10）とねじりスプリング（11）を設け、ねじりスプリング（11）の反発力によりレバー（10）を押上げて作用点側のストッパー（9）を下方向に付勢して、鋸歯部（6）をストッパー（9）により係止してピストンを停止可能にし、シリンダー（2）と軸ボルト（15）を家具の両サイドに対向させて設けて一対とし、別の軸ボルト（１５）により鎹型扉止め（14）を回転自在に橋設し、家具の上台（27）と下台（28）を蝶番（22）により蝶着し、上台（27）を回転自在にし、家具の転倒時の遠心力で鎹型扉止め（14）とピストン（5）を落下させ、鎹型扉止め（１４）で扉を封鎖するとともに、ピストン（５）で家具を途中で支える事を特徴とする家具転倒途中止め。
以上の構成よりなる家具転倒途中止め。
【発明の効果】
【０００５】
1・転倒途中止めによる家具の破損の減少。
2・特に大型の鏡の破片の散乱防止。
3・家具による下敷きを減少させて人命を保護する。
4・余震と周囲の状況に従って、家具の下に一時避難をして落下物を防ぐ。
5・家具が半転倒につき、元の位置に戻すことが簡単である。
【図面の簡単な説明】
【０００６】
【図１】本発明の上台の側面図。
【図２】本発明の箪笥の正面図。
【図３】本発明の上台が転倒した側面図。
【図４】本発明の軸ボルトの正面図。
【図５】本発明の一段式の家具が途中転倒した側面図。
【図６】本発明の基盤とシリンダーの正面図。
【図７】本発明のストッパーとシリンダーの側面図。
【発明を実施するための形態】
【０００７】
基盤（1）の中央に角型の溝を設け、溝をシリンダー（2）とし、シリンダー（2）の下部に案内孔と上部に鋸歯部露出孔（4）を設け、シリンダー（2）と軸ボルト（15）を家具の両サイドに対向させて、軸ボルト（15）及びボルト（16）で家具（23）に固定する。
ピストン（5）は、長方形で、シリンダー（2）に挿入し、球型ゴム（8）に孔を設け、孔にピストン（5）の片側の先端を挿入させ、ピストン（5）の反対側に鋸型の鋸歯部（6）と停止棒（7）を設け。
鋸歯部露出孔（4）の上部に軸ボルト（15）を設け、軸ボルト（15）にスットパー（9）とねじりスプリング（11）を設け、ねじりスプリング（11）の先端をレバー（10）の孔（13）に侵入。鎹型扉止め（14）の両端に孔をあけ、孔に軸ボルト（15）を侵入して家具（23）の上部に設ける。
本発明は以上のような構造である。
本発明を使用するときは。
大地震により家具が転倒開始すると、遠心力で鎹型扉止めが回転落下して扉に当たり扉を閉鎖する。
同時にピストンが落下し、ピストンの球型ゴムが床および畳に到達し、ねじりスプリングの反発力で、レバーを押上げストッパーと鋸歯部が噛み合ってピストンを係止させて家具を支える。
地震時に家具の下に遭遇した場合は、暫くのあいだ避難場所として落下物から人体を護る。
地震終了後に、家具の下から脱出し、家具を元の位置に戻し、レバーを下げて鋸歯部からストッパー外して、ピストンを奥に押し込んで元の位置に戻し、鎹型扉止めを回転させて元の位置に戻す。
【符号の説明】
【０００８】
1基盤、2シリンダー、3案内孔、4鋸歯部露出孔、5ピストン、6鋸歯部、7停止棒、8球型ゴム、9ストッパー、10レバー、11ねじりスプリング、12リング、 13孔、14鎹型扉止め、15軸ボルト、16ボルト、17ナット、18頭、19雄ネジ山、20ネジ山なし、21軸部、22蝶番、23家具、24洋服箪笥、25扉、26引出し、27上台、28下台、29台輪、30隙間、31把手、
【手続補正２】
【補正対象書類名】特許請求の範囲
【補正対象項目名】全文
【補正方法】変更
【補正の内容】
【特許請求の範囲】
【請求項１】
シリンダー（2）にピストン（5）をスライド自在に設け、シリンダー（2）の下部に案内孔（3）と上部に鋸歯部露出孔（4）を設け、ピストン（5）に停止棒（7）と鋸歯部（6）と球型ゴム（8）を設け、停止棒（7）を案内孔（3）に嵌め、ピストン（5）をシリンダー（2）から離脱不能にし、鋸歯部露出孔（4）の上部に、軸ボルト（15）により固定されるレバー（10）とねじりスプリング（11）を設け、ねじりスプリング（11）の反発力によりレバー（10）を押上げて作用点側のストッパー（9）を下方向に付勢して、鋸歯部（6）をストッパー（9）により係止してピストンを停止可能にし、シリンダー（2）と軸ボルト（15）を家具の両サイドに対向させて設けて一対とし、別の軸ボルト（１５）により鎹型扉止め（14）を回転自在に橋設し、家具の上台（27）と下台（28）を蝶番（22）により蝶着し、上台（27）を回転自在にし、家具の転倒時の遠心力で鎹型扉止め（14）とピストン（5）を落下させ、鎹型扉止め（１４）で扉を封鎖するとともに、ピストン（５）で家具を途中で支える事を特徴とする家具転倒途中止め。